(57)【特許請求の範囲】
【請求項１】
アイウエアであって、
一対のレンズを連結する第１のブリッジと、
ノーズパッドを保持するノーズパッド保持部と、
前記ノーズパッド保持部と連結されるクリングスと、
前記クリングスと一体的に成形され、前記一対のレンズを連結する第２のブリッジと、
を備え、
前記クリングスは、前記ノーズパッド保持部に対して直線状に延伸し、
前記第１のブリッジが、前記アイウエアの前方を向く面に取り付けられ、
前記第２のブリッジが、前記アイウエアの一対のリムの互いに対向する面に取り付けられる、
アイウエア。
【請求項２】
前記第２のブリッジの端部が延伸して、前記クリングスを形成する、
請求項１に記載のアイウエア。
【請求項３】
前記第１のブリッジと前記第２のブリッジとが、異なる位置で前記一対のレンズを連結する、
請求項１または請求項２に記載のアイウエア。
【請求項４】
前記第１のブリッジと前記第２のブリッジとが、前記アイウエアを上面から見て異なる位置で前記一対のレンズを連結する、
請求項１から請求項３までの何れか一項に記載のアイウエア。
【請求項５】
前記第１のブリッジと前記第２のブリッジとが、前記アイウエアを正面から見た場合に前記第１のブリッジ及び前記第２のブリッジの少なくとも一部が重なる位置で、前記一対のレンズを連結する、
請求項１から請求項４までの何れか一項に記載のアイウエア。
【請求項６】
前記第１のブリッジ及び前記一対のリムの接続箇所と、前記第２のブリッジ及び前記一対のリムの接続箇所とが、前記アイウエアを正面から見て異なる位置に配される、
請求項５に記載のアイウエア。
【請求項７】
前記第２のブリッジは、
前記一対のレンズを連結する連結部と、
前記連結部及びクリングスの間に配される屈曲部と、
を有し、
前記屈曲部は、
前記連結部の端部から前記アイウエアの前後方向に実質的に平行に延伸し、
前記屈曲部のクリングス側の端部が前記アイウエアの下方向を向くように屈曲する、
請求項１から請求項４までの何れか一項に記載のアイウエア。
【請求項８】
前記屈曲部は、前記連結部に結合する側から前記クリングスに結合する側に向かって、その幅、厚さまたは太さが徐々に小さくなる、
請求項７に記載のアイウエア。
【発明の詳細な説明】
【技術分野】
【０００１】
本発明は、アイウエアに関する。
【背景技術】
【０００２】
ノーズパッドを保持するパッド足と、レンズ同士を連結させるブリッジとが一体化されたメガネが知られている（例えば、特許文献１〜５を参照。）。また、２本のパッド足と２本のブリッジとを備えたメガネが知られている（例えば、特許文献６を参照。）。
特許文献１  実用新案登録第３０２７４２１号公報
特許文献２  実用新案登録第３００５７９４号公報
特許文献３  特開平９−１７９０７０号公報
特許文献４  特開２０００−１２２００１号公報
特許文献５  特開２００６−０１７８８６号公報
特許文献６  意匠登録第１２５８０２５号公報
【発明の概要】
【発明が解決しようとする課題】
【０００３】
パッド足とブリッジとを一体化した場合、メガネフレームが顔部に装着された状態でメガネフレームに外部から力が加わったときに、パッド足およびブリッジの一体成形品とメガネフレームとの接続箇所には、パッド足から伝わる力とメガネフレームのリム同士の間に働く力とが加わる。そのため、パッド足とブリッジとをそれぞれ別々にフレームに接続した場合と比較して、パッド足およびブリッジの一体成形品とメガネフレームとの接続箇所にかかる負担が大きくなる。
【課題を解決するための手段】
【０００４】
上記課題を解決するために、本発明の第１の態様においては、一対のレンズを連結する第１のブリッジと、ノーズパッドを保持するクリングスと、クリングスと一体的に成形され、一対のレンズを連結する第２のブリッジとを備えるアイウエアが提供される。
【０００５】
上記のアイウエアにおいて、第２のブリッジの端部が延伸して、前記クリングスを形成してよい。上記のアイウエアにおいて、前記第１のブリッジと前記第２のブリッジとが、異なる位置で前記一対のレンズを連結してよい。上記のアイウエアにおいて、前記第１のブリッジと前記第２のブリッジとが、前記アイウエアを上面から見て異なる位置で前記一対のレンズを連結してよい。
【０００６】
上記のアイウエアにおいて、第１のブリッジと第２のブリッジとが、アイウエアの一対のリムの異なる位置に取り付けられてよい。上記のアイウエアにおいて、第１のブリッジと第２のブリッジとが、一対のリムのそれぞれの異なる面に取り付けられてよい。上記のアイウエアにおいて、第１のブリッジおよび第２のブリッジの一方が、アイウエアの前方を向く面に取り付けられてよく、第１のブリッジおよび第２のブリッジの他方が、一対のリムが互いに対向する面に取り付けられてよい。
【０００７】
上記のアイウエアにおいて、ノーズパッドを保持するノーズパッド保持部をさらに備えてよい。上記のアイウエアにおいて、クリングスは、ノーズパッド保持部に対して直線状に延伸し、ノーズパッド保持部と連結されてよい。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】メガネ１００の一例を概略的に示す。
【図２】ブリッジ部分を正面側から見た部分拡大図の一例を概略的に示す。
【図３】ブリッジ部分を背面側から見た部分拡大図の一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。以下、図面を参照して、実施形態について説明するが、図面の記載において、同一または類似の部分には同一の参照番号を付して重複する説明を省く場合がある。なお、図面は模式的なものであり、厚みと平面寸法との関係、比率等は現実のものとは異なる場合がある。また、説明の都合上、図面相互間においても互いの寸法の関係又は比率が異なる部分が含まれる場合がある。
【００１１】
図１は、メガネ１００の一例を概略的に示す。メガネ１００は、レンズ１１０と、メガネフレーム１２０とを備える。メガネ１００は、一対のレンズ１１０を備えてよい。メガネ１００およびメガネフレーム１２０は、アイウエアの一例であってよい。
【００１２】
メガネフレーム１２０は、一対のレンズ１１０を保持する。メガネフレーム１２０は、リム１２２と、ヨロイ１２４と、蝶番１２５と、テンプル１２６と、モダン１２８と、第１のブリッジ１３０と、第２のブリッジ１４０と、クリングス１４２と、パッド箱１４４と、ノーズパッド１６０とを有してよい。パッド箱１４４は、ノーズパッド保持部の一例であってよい。
【００１３】
リム１２２、ヨロイ１２４、蝶番１２５、テンプル１２６およびモダン１２８は、それぞれ左右一対に設けられる。リム１２２は、レンズ１１０を保持する。ヨロイ１２４は、リム１２２の外側に設けられ、蝶番１２５によりテンプル１２６を回転可能に保持する。テンプル１２６は、使用者の頭部の耳部の上部を押圧して、当該部位を挟持する。モダン１２８は、テンプル１２６の先端に設けられる。
【００１４】
第１のブリッジ１３０は、一対のレンズ１１０を連結する。第２のブリッジ１４０は、一対のレンズ１１０を連結する。これにより、メガネフレーム１２０に外部から力が加わった場合に、第２のブリッジ１４０と、レンズ１１０またはリム１２２との接続箇所に加わる力を軽減することができる。この効果は、第２のブリッジ１４０とクリングス１４２とが一体的に成形されている場合に顕著に表れる。
【００１５】
第２のブリッジ１４０とクリングス１４２とが一体的に成形されている場合には、メガネフレーム１２０が顔部に装着された状態でメガネフレーム１２０に外部から力が加わると、第２のブリッジ１４０およびクリングス１４２の一体成形品とレンズ１１０またはリム１２２との接続箇所には、クリングス１４２から伝わる力と、レンズ１１０またはリム１２２から伝わる力とが加わる。
【００１６】
しかし、第２のブリッジ１４０とは別に、一対のレンズ１１０を連結する第１のブリッジ１３０を設けることで、レンズ１１０またはリム１２２の変形を抑制することができる。その結果、レンズ１１０またはリム１２２から、上記の一体成形品とレンズ１１０またはリム１２２との接続箇所に伝わる力を軽減することができ、上記の接続箇所の破損を防止することができる。
【００１７】
ここで、一対のレンズを連結するとは、レンズ同士を直接的に連結する場合だけでなく、レンズ同士を間接的に連結する場合をも含む。例えば、レンズを保持するリム同士を連結する場合をも含む。第１のブリッジ１３０がリム同士を連結して、第２のブリッジ１４０がレンズ同士を連結してもよい。一対のレンズは、物理的に分離した２枚のレンズであってもよいし、一対のレンズが一体的に連結していてもよい。
【００１８】
連結するとは、ひと続きになるようにつなぎ合わせることをいい、例えば、第１のブリッジ１３０または第２のブリッジ１４０と、一対のレンズまたはリムのそれぞれとを、ロウ付け、ネジ止め、はめ込み等によりしっかりと固定することで、一対のレンズまたはリムをつなぎ合わせることをいう。第１のブリッジ１３０または第２のブリッジ１４０と、一対のレンズまたはリムのそれぞれとが単に接している場合は含まれない。
【００１９】
第１のブリッジ１３０と第２のブリッジ１４０とは、異なる位置で一対のレンズ１１０を連結してよい。これにより、レンズ１１０またはリム１２２に加わる力を分散させることができる。
【００２０】
第１のブリッジ１３０と第２のブリッジ１４０とは、メガネフレーム１２０を上面から見て異なる位置で一対のレンズ１１０を連結してよい。第１のブリッジ１３０と第２のブリッジ１４０とは、メガネフレーム１２０を正面から見た場合に、第１のブリッジ１３０および第２のブリッジ１４０の少なくとも一部が重なる位置で一対のレンズ１１０を連結してよい。これらの構成により、メガネフレーム１２０を前後に撓ませる力に対する強度がより向上する。なお、メガネフレーム１２０の正面側を前方とし、メガネフレーム１２０の背面側を後方とする。
【００２１】
第１のブリッジ１３０と第２のブリッジ１４０とは、メガネフレーム１２０の一対のリム１２２の異なる位置に取り付けられてよい。第１のブリッジ１３０と第２のブリッジ１４０とは、一対のリム１２２のそれぞれの異なる面に取り付けられてよい。第１のブリッジ１３０および第２のブリッジ１４０の一方が、メガネフレーム１２０の前方を向く面に取り付けられ、第１のブリッジ１３０および第２のブリッジ１４０の他方が、一対のリム１２２が互いに対向する面に取り付けられてよい。これらの構成により、第１のブリッジ１３０およびリム１２２の接続と、第２のブリッジ１４０およびリム１２２の接続とが相補的に補強しあうことができる。
【００２２】
第１のブリッジ１３０と第２のブリッジ１４０とは、互いに連結されてもよい。これにより、レンズ同士をより強固に連結することができる。第１のブリッジ１３０と第２のブリッジ１４０とは、離間して配されてもよい。これにより、メガネフレーム１２０に外部から力が加えられた場合に、第１のブリッジ１３０および第２のブリッジ１４０が連結されている場合と比較して自由に撓むことができる。
【００２３】
第２のブリッジ１４０は、クリングス１４２と一体的に成形されてよい。第２のブリッジ１４０は、第２のブリッジ１４０の端部が延伸して、クリングス１４２を形成してよい。これにより、第２のブリッジ１４０とクリングス１４２とが一体的に成形されずに、レンズ１１０またはリム１２２の異なる位置に取り付けられる場合と比較して、レンズ１１０またはリム１２２に加わる力を軽減することができる。例えば、レンズ１１０またはリム１２２を捻る力を軽減することができる。
【００２４】
クリングス１４２は、ノーズパッド１６０を保持してよい。クリングス１４２は、その一端においてパッド箱１４４と連結されてよい。クリングス１４２は、パッド箱１４４から直線状に延伸する棒状の部分を有してよい。クリングス１４２は、メガネフレーム１２０を、メガネ１００の使用者の顔部に対して位置決めしてよい。
【００２５】
ここで、第２のブリッジ１４０とクリングス１４２とが一体的に成形されるとは、第２のブリッジ１４０およびクリングス１４２が、一の材料を変形させて製造される場合、第２のブリッジ１４０およびクリングス１４２が、鋳造、プレスなどにより同一の工程で製造される場合を例示することができる。また、第２のブリッジ１４０およびクリングス１４２がそれぞれ別々に製造された後に組み合わされて一つの部材を構成している場合であっても、第２のブリッジ１４０とクリングス１４２とが、リム１２２またはレンズ１１０の異なる位置に取り付けられていない場合には、第２のブリッジ１４０とクリングス１４２とが一体的に成形される場合として例示することができる。
【００２６】
なお、第２のブリッジ１４０およびクリングス１４２は、一の材料を変形させて製造される、または、同一の工程で製造されることが好ましい。これにより、メガネフレーム１２０、第２のブリッジ１４０およびクリングス１４２の製造工程を簡略化することができる。また、メガネフレーム１２０、第２のブリッジ１４０およびクリングス１４２の製造費用を抑制することができる。
【００２７】
パッド箱１４４は、ノーズパッド１６０を保持する。パッド箱１４４は、ノーズパッド１６０を可動的に保持してよい。パッド箱１４４は、ノーズパッドの１６０の一部を収容してよい。パッド箱と、ノーズパッド１６０のパッド箱１４４に収容された部分との間には隙間があってよい。ノーズパッド１６０は、メガネ１００の使用者の鼻に当接して、メガネフレーム１２０をメガネ１００の使用者の顔部に対して位置決めする。
【００２８】
図２は、ブリッジ部分を正面側から見た部分拡大図の一例を概略的に示す。図２に示すとおり、ノーズパッド１６０は、ノーズパッド本体２６２と、ノーズパッド取り付け部２６４とを有してよい。ノーズパッド本体２６２は、ポリエステル、シリコーン樹脂などの樹脂を含んでもよく、チタンなどの金属を含んでもよい。
【００２９】
ノーズパッド取り付け部２６４は、ノーズパッド本体２６２をメガネフレーム１２０に取り付ける。ノーズパッド取り付け部２６４とノーズパッド本体２６２とが結合され、ノーズパッド取り付け部２６４の一部がパッド箱１４４に収容され、ネジなどで可動的に固定されることで、ノーズパッド１６０がメガネフレーム１２０に取り付けられてよい。ノーズパッド取り付け部２６４は、ノーズパッド本体２６２の上に配されてもよく、ノーズパッド取り付け部２６４の一部がノーズパッド本体２６２の内部に埋設されてもよい。ノーズパッド本体２６２とノーズパッド取り付け部２６４とが一体的に成形されてもよい。
【００３０】
本実施形態において、第１のブリッジ１３０は、リム１２２の正面側の面２２２に取り付けられている。第２のブリッジ１４０は、リム１２２の互いに対向する面２２６と背面側の面２２８の角部に取り付けられている。また、第１のブリッジ１３０と第２のブリッジ１４０とは、メガネフレーム１２０を正面から見た場合に、第１のブリッジ１３０および第２のブリッジ１４０の少なくとも一部が重なる位置で一対のレンズ１１０を連結している。
【００３１】
この場合、第１のブリッジ１３０およびリム１２２の接続箇所の接続強度は、メガネフレーム１２０に一対のリム１２２を左右に引き離す力が加わった場合と比較して、一対のリム１２２を左右から押圧する力に対して弱い。一方、第２のブリッジ１４０は、リム１２２の互いに対向する面２２６に取り付けられているので、一対のリム１２２を左右から押圧する力に対して比較的強い。これにより、メガネフレーム１２０に一対のリム１２２を左右から押圧する力が加えられた場合であっても、第１のブリッジ１３０およびリム１２２の接続箇所に加わる力を低減させることができる。
【００３２】
また、第２のブリッジ１４０およびリム１２２の接続箇所の接続強度は、メガネフレーム１２０に一対のリム１２２を左右から押圧する力が加わった場合と比較して、一対のリム１２２を左右に引き離す力に対して弱い。一方、第１のブリッジ１３０は、リム１２２の正面側の面２２２に取り付けられているので、一対のリム１２２を左右に引き離す力に対して比較的強い。これにより、メガネフレーム１２０に一対のリム１２２を左右に引き離す力が加えられた場合であっても、第２のブリッジ１４０およびリム１２２の接続箇所に加わる力を低減させることができる。
【００３３】
第１のブリッジ１３０およびリム１２２の接続箇所と、第２のブリッジ１４０およびリム１２２の接続箇所とは、メガネフレーム１２０を正面から見て異なる位置に配されてよい。例えば、本実施形態において、第１のブリッジ１３０とリム１２２とは、リム１２２の角部のうちメガネフレーム１２０の中央上部の角部の近傍であって、当該角部より下の位置で接続されており、第２のブリッジ１４０とリム１２２とは、リム１２２の角部の中央近傍で接続されている。これにより、メガネフレーム１２０の強度をさらに向上させることができる。
【００３４】
なお、本実施形態において、第２のブリッジ１４０がリム１２２の互いに対向する面２２６と背面側の面２２８の角部に取り付けられた場合について説明したが、第１のブリッジ１３０および第２のブリッジ１４０の取り付け方法はこれに限定されない。第１のブリッジ１３０と第２のブリッジ１４０とが、一対のリム１２２のそれぞれの異なる面に取り付けられていればよく、例えば、第２のブリッジ１４０がリム１２２の互いに対向する面２２６だけに取り付けられていてもよい。
【００３５】
また、第１のブリッジ１３０が、リム１２２の互いに対向する面２２６に取り付けられ、第２のブリッジ１４０が、リム１２２の正面側の面２２２、上面２２４または背面側の面２２８に取り付けられてもよい。第１のブリッジ１３０および第２のブリッジ１４０の少なくとも一方が、正面側の面２２２、上面２２４および背面側の面２２８の３面でリム１２２と接続されてもよく、リム１２２の周囲の一部を囲むようにリム１２２と接続されてもよい。
【００３６】
図３は、ブリッジ部分を背面側から見た部分拡大図の一例を概略的に示す。図３に示すように、第２のブリッジ１４０は、一対のレンズ１１０を連結する連結部３４２と、連結部３４２およびクリングス１４２の間に配される屈曲部３４４を有してよい。屈曲部３４４は、連結部３４２からメガネフレーム１２０の前後方向に実質的に平行に延伸して、クリングス１４２側の端部において、メガネフレーム１２０の下方向に屈曲してよい。
【００３７】
連結部３４２の幅、厚さまたは太さは、クリングス１４２の幅、厚さまたは太さより大きくてよい。屈曲部３４４は、連結部３４２に結合する側からクリングス１４２に結合する側に向かって、その幅、厚さまたは太さが徐々に小さくなってよい。図３に示すように、クリングス１４２は、屈曲部３４４からパッド箱１４４に向かって直線状に延伸してよい。
【００３８】
これにより、クリングス１４２が直線状に延伸する部分の長さを大きくすることができ、クリングス１４２の撓みを大きくすることができる。その結果、ノーズパッド１６０がよりソフトにかつしっかりと鼻を挟持することができる。顔部の前後方向におけるノーズパッド１６０の位置を容易に調整することもできる。また、鼻骨は、鼻の付け根の近傍に窪みを有する。クリングス１４２が顔部の前後方向に撓むことで、ノーズパッド１６０を上記窪みの顔部の前方側の側面に対して押し付けることができる。これにより、メガネフレーム１２０を顔部に装着した場合の安定感を向上させることができる。
【００３９】
一方、クリングス１４２の直線状に延伸する部分の長さが大きくなるほど、第２のブリッジ１４０およびクリングス１４２の一体成形品と、リム１２２またはレンズ１１０との接続部分に加わる負荷が大きくなる。第２のブリッジとは別に第１のブリッジを設けることの効果は、このような場合により一層大きくなる。
【００４０】
なお、本実施形態において、アイウエアがメガネである場合について説明した。しかし、アイウエアはこれに限定されない。アイウエアは、目に関連する装具であればよく、メガネ、サングラス、ゴーグルおよびヘッドマウントディスプレイならびにこれらのフレームなどの顔面装着具または頭部装着具であってよい。また、本実施形態において、ブリッジが２本の場合について説明した。しかし、アイウエアはこれに限定されない。アイウエアは、複数のブリッジを備え、複数のブリッジのうちの１つが、クリングスと一体的に成形されてもよい。
【００４１】
本実施形態において、アイウエアが、レンズの側面を全体的に囲うリムを備える場合について説明した。しかし、アイウエアはこれに限定されない。アイウエアは、レンズの側面の一部にのみ配されたリムを備えてもよく、リムを備えなくてもよい。アイウエアがリムを備えない場合、第１のブリッジと第２のブリッジとが、レンズの異なる位置に取り付けられてもよい。
【００４２】
本実施形態において、アイウエアが一対のノーズパッドを備える場合について説明した。しかし、アイウエアはこれに限定されない。鼻と、クリングスおよび第２のブリッジの一体成形品との間に、単一のノーズパッドが配されてよい。例えば、クリングスおよび第２のブリッジの一体成形品の鼻と当接する部分の形状が、いち山またはサドルブリッジのようにアーチ状であって、アーチ状の形状を有するノーズパッドが、鼻と一体成形品との間に配されてもよい。
【００４３】
本実施形態において、レンズがメガネのレンズである場合について説明した。しかし、レンズはこれに限定されない。レンズは、視力矯正用のレンズだけでなく、度の入っていないガラス、樹脂板または樹脂フィルムであってもよく、偏光レンズ、魚眼レンズなどの光学素子であってもよい。また、アイウエアがヘッドマウントディスプレイなどの表示装置である場合には、表示装置の一部を構成するガラス、樹脂板または樹脂フィルムもレンズの一例であってよい。
【００４４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４６】
１００  メガネ
１１０  レンズ
１２０  メガネフレーム
１２２  リム
１２４  ヨロイ
１２５  蝶番
１２６  テンプル
１２８  モダン
１３０  第１のブリッジ
１４０  第２のブリッジ
１４２  クリングス
１４４  パッド箱
１６０  ノーズパッド
２２２  正面側の面
２２４  上面
２２６  互いに対向する面
２２８  背面側の面
２６２  ノーズパッド本体
２６４  ノーズパッド取り付け部
３４２  連結部
３４４  屈曲部
【図１】
0005784287.tif 000002
【図２】
0005784287.tif 000003
【図３】
0005784287.tif 000004